【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
増幅器供給電圧を増幅器のために生成するように構成可能なブースト変換器と、ここにおいて、前記増幅器は、トラッキング供給電圧を出力するように構成され、前記トラッキング供給電圧は、入力電圧を増幅して出力電圧を生成するように構成された電力増幅器に供給される、ここにおいて、前記増幅器供給電圧は、前記ブースト変換器に結合されたブースト供給電圧よりも高くなるように構成可能であり、前記ブースト変換器は、ヘッドルーム電圧と前記増幅器供給電圧よりも大きい前記トラッキング供給電圧のピークとの合計に応答してイネーブルにされるように構成される、
前記ヘッドルーム電圧を生成するように構成された動的ヘッドルーム生成ブロックと、ここにおいて、前記ヘッドルーム電圧は、ヘッドルーム到達信号の検出に応答して初期ヘッドルーム電圧から更新される、
を備える装置。
【請求項２】
前記電力増幅器は、少なくとも一つのトランジスタを備え、前記ヘッドルーム到達信号は、前記少なくとも一つのトランジスタが飽和していることを示す、請求項１に記載の装置。
【請求項３】
前記更新されたヘッドルーム電圧は、前記初期ヘッドルーム電圧と、不足電圧と、電圧マージンとの合計を備える、請求項１に記載の装置。
【請求項４】
前記不足電圧は、前記増幅器供給電圧と、前記トラッキング供給電圧の前記ピークと前記初期ヘッドルーム電圧の前記合計との差を備える、請求項３に記載の装置。
【請求項５】
前記更新されたヘッドルーム電圧は、電圧マージンと、前記増幅器供給電圧と前記トラッキング供給電圧の前記ピークの差との合計を備える、請求項１に記載の装置。
【請求項６】
前記ブースト変換器は、前記増幅器供給電圧をターゲット電圧に引き上げるように構成可能であり、前記ターゲット電圧は、前記ヘッドルーム電圧と前記トラッキング供給電圧の前記ピークとの前記合計に対応する、請求項１に記載の装置。
【請求項７】
前記トラッキング供給電圧の前記ピークは、所定の時間間隔にわたる前記トラッキング供給電圧の前記ピークに対応する、請求項１に記載の装置。
【請求項８】
前記動的ヘッドルーム生成ブロックは、
前記初期ヘッドルーム電圧に対応する値で初期化されたカウンタを備え、前記カウンタは、前記ヘッドルーム到達信号と、前記増幅器供給電圧が前記ヘッドルーム電圧と前記トラッキング供給電圧の前記ピークとの前記合計よりも小さいことを示す信号と、を検出することに応答してイネーブルにされるように構成される、請求項１に記載の装置。
【請求項９】
前記カウンタは、クロックに結合され、前記カウンタは、イネーブルにされている時、その値を前記クロックの立ち上がりエッジに応答してインクリメントするように構成される、請求項８に記載の装置。
【請求項１０】
前記動的ヘッドルーム生成ブロックは、前記ヘッドルーム到達信号を検出することに応答して前記ヘッドルーム電圧を一回更新するように構成される、請求項１に記載の装置。
【請求項１１】
入力電圧を増幅して出力電圧を生成するように構成された電力増幅器に供給するために、増幅器を用いてトラッキング供給電圧を生成することと、
増幅器供給電圧を前記増幅器のために生成することと、ここにおいて、前記増幅器供給電圧は、ブースト供給電圧よりも高くなるように構成可能である、
前記増幅器供給電圧をヘッドルーム電圧と前記増幅器供給電圧よりも大きい前記トラッキング供給電圧のピークとの合計に応答して前記ブースト供給電圧よりも高くなるように構成することと、
ヘッドルーム到達信号の検出に応答して、前記ヘッドルーム電圧を初期値から更新することと、
を備える方法。
【請求項１２】
前記ヘッドルーム到達信号を前記検出することは、前記電力増幅器の少なくとも１つのトランジスタが飽和していることを検出することを備える、請求項１１に記載の方法。
【請求項１３】
前記ブースト供給電圧は、バッテリ電圧である、請求項１１に記載の方法。
【請求項１４】
前記更新することは、
前記初期値でカウンタを初期化することと、
前記ヘッドルーム到達信号と、前記増幅器供給電圧がトラッキング電圧と前記トラッキング供給電圧の前記ピークとの前記合計よりも小さいことを示す信号と、を検出することに応答して、前記カウンタをクロック信号の毎立ち上がりエッジでインクリメントすることと、
前記ヘッドルーム到達信号が偽である時か、または前記増幅器供給電圧が前記トラッキング電圧と前記トラッキング供給電圧の前記ピークとの前記合計よりも小さくない時、前記カウンタをディスエーブルにすることと、
を備える、請求項１１に記載の方法。
【請求項１５】
前記更新することは、ヘッドルーム到達信号を検出することに応答して前記ヘッドルーム電圧を一回更新することを備える、請求項１１に記載の方法。
【手続補正２】
【補正対象書類名】明細書
【補正対象項目名】００６１
【補正方法】変更
【補正の内容】
【００６１】
[0068]開示される例示的な態様の先の説明は、いかなる当業者であっても、本発明の製造または使用を可能にするよう提供される。これらの例示的な態様に対する様々な修正は、当業者には容易に明らかとなり、本明細書において定義される包括的な原理は、本発明の精神または範囲から逸脱することなく他の例示的な態様に適用されうる。したがって、本開示は、本明細書において提示される例示的な態様に限定されるよう意図されず、本明細書において開示される原理および新規な特徴と一致する最も広い範囲が付与されるべきである。
以下に、本願出願の当初の特許請求の範囲に記載された発明を付記する。
［Ｃ１］
増幅器に関する増幅器供給電圧を生成するように構成可能なブースト変換器と、ここにおいて、前記増幅器はトラッキング供給電圧を出力するように構成され、前記トラッキング供給電圧は入力電圧を増幅して出力電圧を生成するように構成された電力増幅器に供給される、ここにおいて、前記増幅器供給電圧は前記ブースト変換器に結合されたブースト供給電圧よりも高くなるように構成可能であり、前記ブースト変換器はヘッドルーム電圧と前記増幅器供給電圧より大きい前記トラッキング供給電圧のピークとの合計に応答してイネーブルにされるように構成される、
前記ヘッドルーム電圧を生成するように構成された動的ヘッドルーム生成ブロックと、ここにおいて、前記ヘッドルーム電圧はヘッドルーム到達信号の検出に応答して初期ヘッドルーム電圧から更新される、
を備える装置。
［Ｃ２］
前記電力増幅器は少なくとも一つのトランジスタを備え、前記ヘッドルーム到達信号は前記少なくとも一つのトランジスタが飽和であることを示す、Ｃ１に記載の装置。
［Ｃ３］
前記更新されたヘッドルーム電圧は、前記ヘッドルーム電圧と、不足電圧と、電圧マージンとの合計を備える、Ｃ１に記載の装置。
［Ｃ４］
前記不足電圧は、前記増幅器供給電圧と、前記トラッキング供給電圧のピークと前記初期ヘッドルーム電圧の合計との差を備える、Ｃ３に記載の装置。
［Ｃ５］
前記更新されたヘッドルーム電圧は、電圧マージンと、前記増幅器供給電圧と前記トラッキング供給電圧の前記ピークの差との合計を備える、Ｃ１に記載の装置。
［Ｃ６］
前記ブースト変換器は前記増幅器供給電圧をターゲット電圧に引き上げるように構成可能であり、前記ターゲット電圧は前記ヘッドルーム電圧と前記トラッキング供給電圧の前記ピークの合計に対応する、Ｃ１に記載の装置。
［Ｃ７］
前記トラッキング供給電圧の前記ピークは所定の時間間隔にわたる前記トラッキング供給電圧の前記ピークに対応する、Ｃ１に記載の装置。
［Ｃ８］
前記動的ヘッドルーム生成ブロックは、
前記初期ヘッドルーム電圧に対応する値で初期化されたカウンタを備え、前記カウンタは前記ヘッドルーム到達信号および前記増幅器供給電圧が前記ヘッドルーム電圧と前記トラッキング供給電圧の前記ピークの合計より小さいことを示す信号とを検出することに応答してイネーブルにされるように構成される、Ｃ１に記載の装置。
［Ｃ９］
前記カウンタはクロックに結合され、前記カウンタは、イネーブルにされている時、その値が前記クロックの立ち上がりエッジに応答してインクリメントするように構成される、Ｃ８に記載の装置。
［Ｃ１０］
前記動的ヘッドルーム生成ブロックは前記ヘッドルーム到達信号を検出することに応答して前記ヘッドルーム電圧を一回更新するように構成される、Ｃ１に記載の装置。
［Ｃ１１］
トラッキング供給電圧を増幅器を用いて生成して出力電圧を生成するために入力電圧を増幅するように構成された電力増幅器を供給することと、
増幅器供給電圧を前記増幅器のために生成することと、ここにおいて前記増幅器供給電圧はブースト供給電圧よりも高くなるように構成可能である、
前記増幅器供給電圧をヘッドルーム電圧と前記増幅器供給電圧よりも大きいトラッキング供給電圧のピークとの合計とに応答して前記ブースト供給電圧よりも高くなるように構成することと、
ヘッドルーム到達信号の検出に応答して、前記ヘッドルーム電圧を初期値から更新することと、
を備える方法。
［Ｃ１２］
前記ヘッドルーム到達信号を検出することは前記電力増幅器の少なくとも１つのトランジスタが飽和であることを検出することを備える、Ｃ１１に記載の方法。
［Ｃ１３］
前記ブースト供給電圧はバッテリ電圧である、Ｃ１１に記載の方法。
［Ｃ１４］
前記更新することは、
前記初期値でカウンタを初期化することと、
前記ヘッドルーム到達信号と、前記増幅器供給電圧が前記トラッキング供給電圧と前記トラッキング供給電圧の前記ピークの合計より小さいことを示す信号とを検出することに応答して、前記カウンタをクロック信号の毎立ち上がりエッジでインクリメントすることと、
前記ヘッドルーム到達信号が偽である時か、前記増幅器供給電圧が前記トラッキング電圧と前記トラッキング供給電圧のピークの合計より小さくない時のどちらかの時、前記カウンタをディスエーブルにすることと、
を備える、Ｃ１１に記載の方法。
［Ｃ１５］
前記更新することはヘッドルーム到達信号を検出することに応答して前記ヘッドルーム電圧を一回更新することを備える、Ｃ１１に記載の方法。
［Ｃ１６］
トラッキング供給電圧を増幅器を用いて生成して出力電圧を生成するために入力電圧を増幅するように構成された電力増幅器を供給する手段と、
増幅器供給電圧を前記増幅器のために生成する手段と、ここにおいて前記増幅器供給電圧はブースト供給電圧よりも高くなるように構成可能である、
前記増幅器供給電圧をヘッドルーム電圧と前記増幅器供給電圧よりも大きいトラッキング供給電圧のピークとの合計とに応答してブースト供給電圧よりも高くなるように構成する手段と、
ヘッドルーム到達信号の検出に応答して、前記ヘッドルーム電圧を初期値から更新する手段と、
を備える装置。
［Ｃ１７］
前記ヘッドルーム到達信号は前記電力増幅器の少なくとも１つのトランジスタが飽和であることを示す信号を備える、Ｃ１６に記載の装置。
［Ｃ１８］
前記ブースト供給電圧はバッテリ電圧である、Ｃ１６に記載の装置。
［Ｃ１９］
前記更新する手段は、
前記初期値で初期化されたカウンタを備え、前記カウンタは前記ヘッドルーム到達信号と、前記増幅器供給電圧が前記ヘッドルーム電圧と前記トラッキング供給電圧のピークの合計より小さいことを示す信号とを検出することに応答してイネーブルにされるように構成される、Ｃ１６に記載の装置。
［Ｃ２０］
前記更新する手段はヘッドルーム到達信号を検出することに応答して前記ヘッドルーム電圧を更新する手段を備える、Ｃ１６に記載の装置。